(57)【要約】  本発明はLEDを用いた照明装置に関し、一実施例は、通風が円滑な対流放熱型構造のランプ型フレームを通じてLED照明装置の光出力と寿命を左右するLED素子の発熱を迅速に放出させ、側面反射部材と拡散レンズおよび拡散カバーを利用してLED光源の眩惑現象を解消し、光量の減衰することなく光源を広く拡散させるもので、既存照明灯を代替できるランプ型LED照明装置を提供する。  本発明の他の一実施例は、放熱構造のライン型およびパネル型フレームを通じて照明装置の光出力と寿命を左右するLED素子の発熱を迅速に放出させ、LED素子の上側に拡散レンズが設けられた曲面反射板と拡散板および拡散窓を光学的に配置してLED光源の眩惑現象を解消し、光量の減衰することなくLED光源を広く拡散させるもので、既存のライン型蛍光灯およびパネル型照明装置を代替できるライン型およびパネル型LED照明装置を提供する。
2012501516.tif 000002
【特許請求の範囲】
【請求項１】
一側にソケットが固定されたハウジングカバー10と、
前記ハウジングカバーの他側に固定され、外周面に少なくとも三以上の側面反射部が形成され、前記側面反射部の端部が当接する部分に少なくとも一以上の通風ホールを有する通風部が形成された放熱フレームと、
前記放熱フレームの側面反射部に固定されLED素子を有するLEDモジュールと、
前記放熱フレームの内部に設けられる電源モジュール部と、
前記放熱フレームの側面反射部に固定され前記LEDモジュールを覆蓋し、前記LED素子の発光面と相応する位置に穿孔ホールが形成された側面反射部材と、
前記放熱フレームの下側に着脱自在に結合されるフレームカバーと、
前記放熱フレームの側面反射部に装着され内周面に屈折および拡散作用をなす鋸歯型拡散レンズが設けられた拡散カバーとを含み、
前記ハウジングカバーには少なくとも一以上のハウジングホールが形成されたことを特徴とするランプ型LED照明装置。
【請求項２】
一側にソケットが固定されたハウジングカバーと、
前記ハウジングカバーの他側に着脱自在に結合される電源モジュールハウジングと、
前記電源モジュールハウジングの一側に固定され、外周面に少なくとも三以上の側面反
射部の端部が当接する部分に少なくとも一以上の通風ホールを有する通風部が形成された放熱フレームと、
前記放熱フレームの側面反射部に固定されLED素子を有するLEDモジュールと、
前記電源モジュールハウジングの内部に設けられる電源モジュール部と、
前記放熱フレームの側面反射部に固定され前記LEDモジュールを覆蓋し、前記LED素子の発光面と相応する位置に穿孔ホールが形成された側面反射部材と、
前記放熱フレームの下側に着脱自在に結合されるフレームカバーと、
前記放熱フレームの側面反射部に装着され内周面に屈折および拡散作用をなす鋸歯型拡散レンズが設けられた拡散カバーとを含み、
前記ハウジングカバーには少なくとも一以上のハウジングホールが形成されたことを特徴とするランプ型LED照明装置。
【請求項３】
前記フレームカバーの一側には光センサーが設けられたことを特徴とする請求項1または２に記載のランプ型LED照明装置。
【請求項４】
前記側面反射部材にはLEDモジュールから発光される光源を拡散させる拡散レンズが設けられたことを特徴とする請求項３に記載のランプ型LED照明装置。
【請求項５】
前記電源モジュール部にはLEDモジュールの照度を制御する制御部が設けられたことを特徴とする請求項４に記載のランプ型LED照明装置。
【請求項６】
前記側面反射部材の拡散レンズにはプリズムが形成されたことを特徴とする請求項５に記載のランプ型LED照明装置。
【請求項７】
前記フレームカバーには少なくとも一以上のフレームカバーホールが形成されたことを特徴とする請求項1または２に記載のランプ型LED照明装置。
【請求項８】
前記拡散カバーの鋸歯型拡散レンズはフレネルレンズで形成されたことを特徴とする請求項７に記載のランプ型LED照明装置。
【請求項９】
前記側面反射部材50はクロームまたはニッケル鍍金されたことを特徴とする請求項８に記載のランプ型LED照明装置。
【請求項１０】
前記フレームカバーの中央にはドーム状の反射鏡が設けられ、前記反射鏡にはLEDランプが設けられたことを特徴とする請求項９に記載のランプ型LED照明装置。
【請求項１１】
前記LEDモジュールは前記放熱フレームから分離される側面反射部材とフレームカバーによって代替可能にされたことを特徴とする請求項10に記載のランプ型LED照明装置。
【請求項１２】
上側空間部と下部空間部とに区画され、側壁が折曲形成され、前記側壁に少なくとも一以上のフレーム通風ホールを有するベースフレームと、
前記ベースフレームの上側空間部に設けられLED素子を有するLEDモジュールと、
前記ベースフレームの上側空間部に端部が支持され、前記LED素子の発光面と相応する位置に穿孔ホールが形成され、前記LEDモジュールと一直線上に拡散レンズが設けられた曲面反射板と、
前記ベースフレームの上側に固定される拡散板と、
前記ベースフレームの側面に結合され前記LEDモジュールに電源を連結するサイドカバーと、
前記サイドカバーに結合され電源を前記LEDモジュールに供給する電源モジュール部とを含み、
前記拡散板には屈折および拡散作用をなす鋸歯型拡散レンズが設けられたことを特徴とするライン型LED照明装置。
【請求項１３】
前記拡散板を覆蓋するように前記ベースフレームの上側に固定される拡散窓をさらに含めてなることを特徴とする請求項12に記載のライン型LED照明装置。
【請求項１４】
前記ベースフレームに着脱自在に結合され、側壁に少なくとも一以上の放熱ピンと通風ホールを有するフレーム支持部をさらに含めてなることを特徴とする請求項13に記載のライン型LED照明装置。
【請求項１５】
前記電源モジュール部には光センサーと制御部が設けられ、前記制御部は前記電源モジュール部と光センサーに連結され前記LEDモジュールの照度を自動制御することを特徴とする請求項13または14に記載のライン型LED照明装置。
【請求項１６】
前記曲面反射板の拡散レンズにはプリズムが形成されたことを特徴とする請求項15に記載のライン型LED照明装置。
【請求項１７】
前記拡散窓にはレンチキュラーレンズが設けられたことを特徴とする請求項16に記載のライン型LED照明装置。
【請求項１８】
前記拡散板には拡散プリズムがさらに設けられたことを特徴とする請求項17に記載のライン型LED照明装置。
【請求項１９】
前記曲面反射板はクロームまたはニッケル鍍金されたことを特徴とする請求項18に記載のライン型LED照明装置。
【請求項２０】
凹溝部と突出部が連続形成され前記突出部には光源装着溝がそれぞれ形成される放熱板と、
前記放熱板上に設けられる電源コントローラーと、
前記放熱板の光源装着溝に装着され前記電源コントローラーに電気的に接続されて前記電源コントローラーの制御によって点滅されるLEDモジュールと、
前記放熱板の前面に結合され下向半円断面を有する曲面反射部が連続形成され、前記曲面反射部の下端には穿孔ホールが形成された反射板と、
前記曲面反射部の穿孔ホールを覆蓋するよう曲面反射部の下端前面側に設けられる半円型拡散レンズと、
前記反射板の前面に結合され前記反射板の前面をカバーする拡散板を含めてなることを特徴とするパネル型LED照明装置。
【請求項２１】
前記放熱板の各側面に備えられ前記電源コントローラーに電気的に接続されて電源接続および前記LED照明装置の相互連結を通じた大型面照明装置への拡張を可能ならしめるコネクターをさらに含めてなることを特徴とする請求項20に記載のパネル型LED照明装置。
【請求項２２】
LEDモジュールは、バー形状のプリント回路基板上に多数のLED素子が離隔配列されその一側には前記電源コントローラーへの電気的接続のための接続端子が設けられることを特徴とする請求項20または21に記載のパネル型LED照明装置。
【請求項２３】
前記LEDモジュールは前記光源装着溝内に代替可能に装着されることを特徴とする請求項20または21に記載のパネル型LED照明装置。
【請求項２４】
前記反射板の曲面反射部は前記LEDモジュールに配列されたLED素子の光源のみが反射板上に投射されるように前記LED素子に相応する部位にだけそれぞれ穿孔ホールが形成されるが、前記反射板の結合ときに前記反射板の穿孔ホールは前記LED素子の発光面周囲に接続して支持されることを特徴とする請求項23に記載のパネル型LED照明装置。
【請求項２５】
前記反射板は前記曲面反射部が連続形成されるように金属板材を成形した後、その表面をクローム鍍金処理するかまたはニッケル鍍金処理して製造することを特徴とする請求項20または21に記載のパネル型LED照明装置。
【請求項２６】
前記半円型拡散レンズの内側面には全反射作用をなすプリズム形態の逆三角形レンズ面が形成されることを特徴とする請求項20または21に記載のパネル型LED照明装置。
【請求項２７】
前記LEDモジュールに対応する前記拡散板の下部面にはプリズム形態の鋸歯型拡散レンズがそれぞれ形成されることを特徴とする請求項20または２１に記載のパネル型LED照明装置。
【請求項２８】
前記LED照明装置が正四角形に形成され前記コネクターが４ケの側面の中央にそれぞれ備えられることによって前記電源コントローラーと前記コネクターらの間には格子状電源回路が具現され、前記コネクターらを利用して前記LED照明装置らを横方向および縦方向に相互連結して大型面照明装置に拡張する場合には前記電源回路らによって全体的に網状電源回路が具現されることを特徴とする請求項21に記載のパネル型LED照明装置。
【発明の詳細な説明】
【技術分野】
【０００１】
本発明は照明装置に関し、より詳しくはLED(Light-Emitting  Diode)素子を光源として用い、発熱の速い対流放熱型フレームでLED素子の光出力の寿命の低下を予防し、眩しさと光の減衰のない均一は照明を施すLED照明装置に関する。
【背景技術】
【０００２】
最近照明装置の光源としてLED素子が脚光を浴びている。LED素子は従来の照明光源に比べて発熱量が少なく、小消費電力と長い寿命、耐衝撃性などの長所を有している。
【０００３】
また、製造過程で蛍光灯のように水銀や放電用ガスを使用しないですむため、環境汚染を誘発しないという長所がある。
【０００４】
LED素子は適切な電源供給と発熱手段を供する場合、10万時間以上使用しても焼損なく点灯状態を維持できる。すべての光源は時間が経つにつれて光出力が漸次減少するが、初期光度の80％まではひとが感知できないので、これを基準にして評価する場合、LED素子の照明寿命は現在約4万〜5万時間と予想されている。したがって、白熱電球の1,500時間、蛍光灯の1万余時間に比してLED素子は寿命が極めてながい長寿命の光源といえる。
【０００５】
しかし、光輝度かつ高出力の照明用光源を得るためにLED素子に駆動電流を増加させるとなると、LED素子の電力損失が増加してほとんどの電気エネルギーが熱に変換され、LED素子の接合部分が高温状態になる。
【０００６】
このLED素子は流れる電流が一定であっても接合部分の温度が高くなると、光出力と光効率が低下するばかりでなく、動作寿命も減少する特性がある。したがって、照明性能と動作寿命を向上させるためには、LED素子の接合部分で発生する熱を最大限迅速に外部へ放熱させてやらねばならない。
【０００７】
これを解決するために従来は本体の周りに冷却ピンが多様な放熱構造に形成された一体型の金属製ハウジング（housing）の前面部に高輝度LED素子を装着し、そのうえに半円状の乳白色拡散カバーを被せてLED照明ランプを製造していた。しかし、そのような方式はLED光源の投射角度が狭くなり、乳白色拡散カバーにより光減衰が大きくなって照度が落ちるばかりでなく、拡散カバーの内部で熱蓄積が生じLED素子がたやすく劣化して照明色相がばらつくようになったり使用寿命が短縮する問題点があった。
【０００８】
また、一般的な電球型LED照明ランプは、製造過程でＤＣ電源部、金属材放熱ハウジング、ハウジングの前面部に装着される高輝度LED素子、乳白色拡散カバーに区分されて一体型に結合されるので、LED光源の照明度が低下すると金属材ハウジングに一体型に精巧に装着されたLED素子とDC電源部の交替が極めて難しいことから、ほとんどそっくり使用品を廃棄することになるので、ごみを量産し、資源を浪費する問題点があった。
【０００９】
さらに、LED素子は半導体素子から発光する点光源であって、LED素子の発光面は小さい反射鏡とエポキシレンズを用いて前面に光を集めて発散する構造を有している。したがって、照明度を高めるために高輝度に発光させる場合、光源の眩しさが酷くなることから、ほとんどのLED照明ランプはLED素子のうえに乳白色の丸い拡散カバーを被せるか、眩しさを解消するために凸凹状に不規則な屈曲が形成された半透明材質の乱反射板をLED光源のうえに被せてLED素照明灯として使用した。
【００１０】
上記乳白色拡散カバーや不規則な凸凹構造の乱反射板は、光拡散材質と乱反射構造の特性上LED素子の光量を減衰させて照明度を大きく落とす短所がある。したがって、そのように減少した光量を勘案してより多くの高輝度LED素子を光源部に装着することになり、そうすることによって発熱量も倍加して放熱機能をさらに高めなければならないので、製造コストが大きく上昇してLED照明装置が高価化する問題点があった。
【００１１】
一方、対流放熱とは、空気の対流現象を利用して装置から発生する熱を放熱させるもので、装置の下部へ流入した冷たい空気が内部熱によって熱く加熱された後に自然対流によって上部へ抜けて装置の過熱が予防されることをいう。
【発明の概要】
【発明が解決しようとする課題】
【００１２】
本発明は上述のような問題点を解決するために案出されたもので、本発明の一実施例は、通風が円滑な対流放熱構造のランプ型フレームを通じてLED装置の光出力と寿命を左右するLED素子の発熱を迅速に放出させ、側面反射部材と拡散レンズおよび拡散カバーを利用してLED光源の眩惑現象を解消するとともに、光の減衰なしに光源を広く拡散させられるランプ型LED照明装置を提供するものである。
【００１３】
本発明の他の一実施例は、放熱作用が円滑なライン型およびパネル型構造のフレームを通じてLED照明装置の光出力と寿命を左右するLED素子の発熱を迅速に放出させ、LED素子の上側に拡散レンズが設けられた曲面反射板と拡散板および拡散窓を光学的に配置してLED光源の眩惑現象を解消し、光量の減衰することなくLED光源を広く拡散させて、既存の蛍光灯およびパネル型照明装置を代替できるライン型およびパネル型LED照明装置を提供するものである。
【課題を解決するための手段】
【００１４】
本発明の一実施例は、一側にソケットが固定されたハウジングカバーと、前記ハウジングカバーの他側に固定されて外周面に少なくとも三つ以上の側面反射部が形成され、前記側面反射部の端部が当接する部分に少なくとも一以上の通風ホールを備える通風部が形成された放熱フレームと、前記放熱フレームの側面反射部に固定されLED素子を有するLEDモジュールと、前記放熱フレームの内部に設けられる電源モジュールと、前記放熱フレームの側面反射部に固定され前記LEDモジュールを覆蓋し、前記LED素子の発光面と相応する位置に穿孔ホールが形成された側面反射部材と、前記放熱フレームの下側に着脱自在に結合されるフレームカバーと、前記放熱フレームの側面反射部に装着されて内周面に屈折および拡散作用をなす鋸歯型拡散レンズが備えられた拡散カバーを含み、前記ハウジングカバーには少なくとも一以上のハウジングホールが形成されたことを特徴とするランプ型LED照明装置を提供する。
【００１５】
本発明の一実施例は一側にソケットが固定されたハウジングカバーと、前記ハウジングカバーの他側に着脱自在に結合される電源モジュールハウジングと、前記電源モジュールハウジングの一側に固定され、外周面に少なくとも三以上の側面反射部が形成され、前記側面反射部の短部が当接する部分に少なくとも一以上の通風ホールを有する通風部が形成された放熱フレームと、前記放熱フレームの側面反射部に固定されLED素子を有するLEDモジュールと、前記電源モジュールハウジングの内部に設けられる電源モジュールと、前記放熱フレームの側面反射部に固定され前記LEDモジュールを覆蓋し、前記LED素子の発光面と相応する位置に穿孔ホールが形成された側面反射部材と、前記放熱フレームの下側に着脱自在に結合されるフレームカバーと、前記放熱フレームの側面反射部に装着され内周面に屈折および拡散作用をなす鋸歯型拡散レンズが設けられた拡散カバーを含み、前記ハウジングァバーには少なくとも一以上のハウジングホールが形成されたことを特徴とするランプ型LED照明装置を提供する。
【００１６】
本発明の一実施例は、上側空間部と下部空間部に区画され側壁が折曲形成され前記側壁に少なくとも一以上のフレーム通風ホールを有するベースフレームと、前記ベースフレームの上側空間部に設けられLED素子を有するLEDモジュールと、前記ベースフレームの上側空間部に端部が支持され前記LED素子の発光面と相応する位置に穿孔ホールが形成され  前記LEDモジュールと一直線上に拡散レンズが設けられた曲面反射板と、前記ベースフレームの上側に固定される拡散板と、前記ベースフレームの側面に結合され前記LEDモジュールに電源を連結するサイドカバーと、前記サイドカバーに結合され電源を前記LEDモジュールに供給する電源モジュール部を含み、前記拡散板には屈折および拡散作用をなす鋸歯型拡散レンズが設けられたことを特徴とするライン型LED照明装置を提供する。
【００１７】
本発明の一実施例は、凹溝部と突出部とが連続形成され、前記突出部には光源の装着溝が各々形成される放熱板と、前記放熱板上に設けられる電源コントローラーと、前記放熱板の光源装着溝に装着され  前記電源コントローラーに電気的に接続され前記電源コントローラーの制御によって点滅するLEDモジュールと、前記放熱板の前面に結合され下向き半円断面を有する曲面反射部が連続形成され、前記曲面反射部の下端には穿孔ホールが形成された反射板と、前記曲面反射部の穿孔ホールを覆蓋するように曲面反射部の下端前面側に設けられる半円型拡散レンズと、前記反射板の前面に結合され前記反射板の前面をカバーする拡散板を含めてなるパネル型LED照明装置を提供する。
【発明の効果】
【００１８】
本発明の一実施例は、通風が円滑な対流放熱構造のランプ型フレームを通じてLED照明装置の光出力と寿命を左右するLED素子の発熱を迅速に放出させ、側面反射部材と拡散レンズおよび拡散カバーを利用してLED光源の眩惑現象を解消するとともに、光量の減衰することなく光源を広く拡散させられるランプ型LED照明装置を提供できる。
【００１９】
本発明のまた他の一実施例は、放熱作用が円滑なライン型およびパネル型構造のフレームを通じてLED照明装置の光出力と寿命を左右するLED素子の発熱を迅速に放出させ、LED素子の上側に拡散レンズが設けられた曲面反射板と拡散板および拡散窓を光学的に配置してLED光源の眩惑現象を解消し、光量の減衰することなくLED光源を広く拡散させ、既存の蛍光灯およびパネル型照明を代替できるライン型およびパレル型LED照明装置を提供できる。
【図面の簡単な説明】
【００２０】
【図１】本発明の一実施例にかかるランプ型LED照明装置を示す斜視図である。
【図２】図１に示すランプ型LED照明装置の分解斜視図である。
【図３】図１に示すIII-III線の断面図である。
【図４】図１に示すランプ型LED照明装置に採用された放熱フレームの変形断面図である。
【図５】図１に示すランプ型LED照明装置に採用されたLEDモジュールの斜視図である。
【図６】図１に示すランプ型LED照明装置に採用されたフレームカバーの前面図である。
【図７】図１に示すランプ型LED照明装置に採用された光センサーと電源モジュールとLEDモジュールと制御部のブロック図である。
【図８】図１に示すランプ型LED照明装置の使用状態図である。
【図９】図１に示すランプ型LED照明装置の使用状態図である。
【図１０】図１に示すランプ型LED照明装置の使用状態図である。
【図１１】図１に示すランプ型LED照明装置の拡散カバーが結合された状態を示す斜視図である。
【図１２】図１に示すランプ型LED照明装置に拡散カバーが結合された状態の使用状態図である。
【図１３】本発明の他の実施例にかかるランプLED照明装置を示す正面図である。
【図１４】図13に示すXII-XII線の断面図である。
【図１５】本発明の一実施例にかかるライン型LED照明装置を示す斜視図である。
【図１６】図15に示すライン型LED照明装置の分解斜視図である。
【図１７】図15のIII-IIIに沿った断面図である。
【図１８】図15に示すライン型LED照明装置に採用されたLEDモジュールを示す斜視図である。
【図１９】図15に示すライン型LED照明装置において曲面反射板の拡散レンズと拡散板と拡散窓と電源モジュール部を除去した状態の平面図である。
【図２０】図15に示すライン型LED照明装置の拡散および屈折作用を示す正断面図である。
【図２１】図15に示すライン型LED照明装置の使用状態図である。
【図２２】図15に示すライン型LED照明装置の使用状態図である。
【図２３】本発明にかかるパネル型LED照明装置の斜視図である。
【図２４】本発明にかかるパネル型LED照明装置の側面図である。
【図２５】本発明にかかるパネル型LED照明装置の分解斜視図である。
【図２６】本発明にかかるパネル型LED照明装置における、LEDモジュールの斜視図である。
【図２７】本発明にかかるパネル型LED照明装置における、反射板の平面図である。
【図２８】本発明にかかるパネル型LED照明装置における、LED光源の光拡散説明図である。
【図２９】本発明にかかるパネル型LED照明装置の四つを横方向および縦方向に連結して具現した大型面照明装置の概略構造図である。
【発明を実施するための形態】
【００２１】
本発明の一実施例は、一側にソケットが固定されたハウジングカバーと、前記ハウジングカバーの他側に固定され外周面に少なくとも三以上の側面反射部が形成され、前記側面反射部の端部が当接する部分に少なくとも一以上の通風ホールを有する通風部が形成された放熱フレームと、前記放熱フレームの側面反射部に固定されLED素子を有するLEDモジュールと、前記放熱フレームの内部に設けられる電源モジュール部と、前記放熱フレームの側面反射部に固定され前記LEDモジュールを覆蓋し、前記LED素子の発光面と相応する位置に穿孔ホールが形成された側面反射部材と、前記放熱フレームの下側に着脱自在に結合されるフレームカバーと、前記放熱フレームの側面反射部に装着され内周面に屈折および拡散作用をなす鋸歯型拡散レンズが設けられた拡散カバーを含み、前記ハウジングカバーには少なくとも一以上のハウジングホールが形成されたことを特徴とするランプ型LED照明装置を提供する。
【００２２】
本発明の一実施例は一側にソケットが固定されたハウジングカバーと、前記ハウジングカバーの他側に着脱自在に結合される電源モジュールハウジングと、前記電源モジュールハウジングの一側に固定され、外周面に少なくとも三以上の側面反射部が形成され、前記側面反射部の端部が当接する部分に少なくとも一以上の通風ホールを有する通風部が形成された放熱フレームと、前記放熱フレームの側面反射部に固定されLED素子を有するLEDモジュールと、前記電源モジュールハウジングの内部に設けられる電源モジュールと、前記放熱フレームの側面反射部に固定され前記LEDモジュールを覆蓋し、前記LED素子の発光面と相応する位置に穿孔ホールが形成された側面反射部材と、前記放熱フレームの下側に着脱自在に結合されるフレームカバーと、前記放熱フレームの側面反射部に装着され内周面に屈折および拡散作用をなす鋸歯型拡散レンズが設けられた拡散カバーを含み、前記ハウジングカバーには少なくとも一以上のハウジングホールが形成されたことを特徴とするランプ型LED照明装置を提供する。
【００２３】
本発明の一実施例は、前記フレームカバーの一側に光センサーが設けられたことを特徴とするランプ型LED照明装置を提供する。
【００２４】
本発明の一実施例は、前記側面反射部材に前記LEDモジュールから発光する光源を拡散させる拡散レンズが設けられたことを特徴とするランプ型LED照明装置を提供する。
【００２５】
本発明の一実施例は、前記電源モジュール部に前記LEDモジュールの照度を制御する制御部が設けられたことを特徴とするランプ型LED照明装置を提供する。
【００２６】
本発明の一実施例は、前記側面反射部材の拡散レンズにプリズムが形成されたことを特徴とするランプ型LED照明装置を提供する。
【００２７】
本発明の一実施例は、前記フレームカバーに少なくとも一以上のフレームカバーホールが形成されたことを特徴とするランプ型LED照明装置を提供する。
【００２８】
本発明の一実施例は、前記拡散カバーの鋸歯型拡散レンズがフレネルレンズで形成されたことを特徴とするランプ型LED照明装置を提供する。
【００２９】
本発明の一実施例は、前記側面反射部材がクロームまたはニッケル鍍金されたことを特徴とするランプ型LED照明装置を提供する。
【００３０】
本発明の一実施例は、前記フレームカバーの中央にドーム状の反射鏡が設けられ、前記反射鏡にはLEDランプが設けられた ことを特徴とするランプ型LED照明装置を提供する。
【００３１】
本発明の一実施例は、前記LEDモジュールが前記発熱フレームから分離される側面反射部材とフレームカバーによって取替え可能なことを特徴とするランプ型LED照明装置を提供する。
【００３２】
本発明の一実施例は、上側空間部と下部空間部に区画され側壁が折曲形成され前記側壁に少なくとも一以上のフレーム通風ホールを有するベースフレームと、前記ベースフレームの上側空間部に設けられLED素子を有するLEDモジュールと、前記ベースフレームの上側空間部に端部が支持され前記LED素子の発光面と相応する位置に穿孔ホールが形成され  前記LEDモジュールと一直線上に拡散レンズが設けられた曲面反射板と、前記ベールフレームの上側に固定される拡散板と、前記ベースフレームの側面に結合され前記LEDモジュールに電源を連結するサイドカバーと、前記サイドカバーに結合され電源を前記LEDモジュールに供給する電源モジュール部を含み、前記拡散板には屈折および拡散作用をなす鋸歯型拡散レンズが設けられたことを特徴とするライン型LED照明装置を提供する。
【００３３】
本発明の一実施例は、前記拡散板を覆蓋するよう前記ベースフレームの上側に固定される拡散窓をさらに含めてなることを特徴とするライン型LED照明装置を提供する。
【００３４】
本発明の一実施例は、前記ベースフレームに着脱自在に結合され、側壁に少なくとも一以上の放熱ピンと通風ホールを有するフレーム支持部をさらに含めてなることを特徴とするライン型LED照明装置を提供する。
【００３５】
本発明の一実施例は、前記電源モジュール部には光センサーと制御部とが設けられ、前記制御部は前記電源モジュールと光センサーとに連結されて前記LEDモジュールの照度を自動制御することを特徴とするランプ型LED照明装置を提供する。
【００３６】
本発明の一実施例は、前記曲面反射板の拡散レンズにプリズムが形成されたことを特徴とするライン型LED照明装置を提供する。
【００３７】
本発明の一実施例は、前記拡散窓にレンチキュラーレンズが設けられたことを特徴とするライン型LED照明装置を提供する。
【００３８】
本発明の一実施例は、前記拡散板に拡散プリズムがさらに設けられたことを特徴とするライン型LED照明装置を提供する。
【００３９】
本発明の一実施例は、前記曲面反射板がクロームまたはニッケル鍍金されたことを特徴とするライン型LED照明装置を提供する。
【００４０】
本発明の一実施例は、凹溝部と突出部とが連続形成され、前記突出部には光源の装着溝が各々形成される放熱板と、前記放熱板上に設けられる電源コントローラーと、前記放熱板の光源装着溝に装着され前記電源コントローラーに電気的に接続され前記電源コントローラーの制御によって点滅するLEDモジュールと、前記放熱板の前面に結合され下向き半円断面を有する曲面反射部が連続形成され、前記曲面反射部の下端には穿孔ホールが形成された反射板と、前記曲面反射部の穿孔ホールを覆蓋するように曲面反射部の下端前面側に設けられる半円型拡散レンズと、前記反射板の前面に結合され前記反射板の前面をカバーする拡散板を含めてなるパネル型LED照明装置を提供する。
【００４１】
本発明の一実施例は、前記放熱板の各側面に設けられ前記電源コントローラーに電気的に接続され電源接続および前記LED照明装置の相互連結を通じた大型面照明装置の拡張を可能にするコネクターをさらに含めてなることを特徴とするパネル型LED照明装置を提供する。
【００４２】
本発明の一実施例は、前記LEDモジュールがバー（bar）状のプリント回路基板上に多数のLED素子が離隔配列され、その一側には前記電源コントローラーへの電気的接続のための接続端子が設けられることを特徴とするパネル型LED照明装置を提供する。
【００４３】
本発明の一実施例は、前記LEDモジュールが前記光源装着溝内に取替え可能に装着されることを特徴とするパネル型LED照明装置を提供する。
【００４４】
本発明の一実施例において、前記反射板の曲面反射部は前記LEDモジュールに配列されたLED素子の光源のみが反射板上に投射されるよう前記LED素子に相応する部位にだけそれぞれ穿孔ホールが形成されるも、前記反射板の結合の際、前記反射板の穿孔ホールは前記LED素子の発光面周囲に接続して支持されることを特徴とするパネル型LED照明装置を提供する。
【００４５】
本発明の一実施例は、前記反射板が前記曲面反射部が連続形成されるよう金属板材を成形した後その表面をクローム処理するかまたはニッケル鍍金処理して製造することを特徴とするパネル型LED照明装置を提供する。
【００４６】
本発明の一実施例は、前記半円型拡散レンズの内側面に全反射作用をなすプリズム形態の逆三角形レンズ面が形成されることを特徴とするパネル型LED照明装置を提供する。
【００４７】
本発明の一実施例は、前記LEDモジュールに対応する前記拡散板の下部面にプリズム形態の鋸歯型拡散レンズがそれぞれ形成されることを特徴とするパネル型LED照明装置を提供する。
【００４８】
本発明の一実施例は、前記LED照明装置が正四角形に形成され前記コネクターが４ケの側面の中央にそれぞれ備えられることによって前記電源コントローラーと前記コネクターらの間には格子型電源回路が具現され、前記コネクターらを利用して前記LED照明装置らを横方向および縦方向に相互連結して大型面照明装置に拡張する場合には前記電源回路らによって全体的に網状電源回路が具現されることを特徴とするパネル型LED照明装置を提供する。
【００４９】
本発明の望ましい実施例にかかるランプ型LED照明装置1は、図１ないし図14に示されたようにハウジングカバー10、放熱フレーム20、LEDモジュール30、電源モジュール部40、側面反射部材50、フレームカバー60、光センサー70、制御部80を含む。
【００５０】
ハウジングカバー10は、図１および２に示されたように、望ましくは円盤状で、少なくとも一以上のハウジングホール11aを有するハウジング11と、前記ハウジング11の上側に固定され外部電源と連結されるソケット12からなる。
【００５１】
前記ハウジングホール11aは、後述のLEDモジュール30から発生する熱が空気によって排出されて冷却されるよう空気の移動通路となる。前記ソケット12は図２に示されたように、陽極接続端子12aと陰極接続端子12bからなり、後述の電源モジュール部40に電源を供給する。
【００５２】
放熱フレーム20は、図２および3に示されたように内部が中空になっており、望ましくは対流放熱を円滑になさせる放射形状を有するフレーム本体21と、前記フレーム本体21の外側に少なくとも三以上形成される側面反射部22と、前記側面反射部22の端部が当接する部分に形成される通風部23からなる。
【００５３】
フレーム本体21の内側には、図3に示すように、後述の電源モジュール部40がスライディング挿入固定される電源モジュール固定溝21aが形成され、外側には図２に示すように後述のLEDモジュール30のLED接続端子34が挿入固定される接地ホール21bが形成される。この接地ホール21bは後述の電源モジュール部40と連結される。前記フレーム本体21の内部は中空になっているので、後述のLEDモジュール30から発生する熱が冷却されるよう空気の移動通路（図9参照）となる。前記フレーム本体21は図４に示すように図３の形態を土台に多種の多角形形状に変形が可能である。
【００５４】
前記側面反射部22は図３に示すように後述の側面反射部材50が設けられる箇所で、前記側面反射部22の端部は側面反射部材50が支持されるよう折曲形成されるのが望ましい。
【００５５】
前記通風部23は、後述の電源モジュール部40とLEDモジュール30から発生する熱が外部へ迅速に放出されるようにするもので、この通風部23には図２に示すように少なくとも一以上の通風ホール23aが形成されるようにするのが望ましい。
【００５６】
LEDモジュール30は、望ましくは図２に示すように放熱フレーム20の外側に設けられ、後述の電源モジュール部40と連結されLED光源を発散する。このLEDモジュール30は、図５に示すように、モジュールベース31と、前記モジュールベース31の一側に固定されLED発光面32aを有する少なくとも一以上のLED素子32と、前記LED素子32の間に設けられる抵抗33と、前記モジュールベース31の一側に設けられ放熱フレーム20の接地ホール21bに挿入固定されるLED接続端子34とからなる。
【００５７】
前記LED素子32のLED発光面32aには、図３に示すように、後述の側面反射部材50の穿孔ホール51aの周囲が支持されるようにしてLED発光面32aに蓄積される熱が側面反射部材50に吸収されるようにするのが望ましい。
【００５８】
電源モジュール部40は、図３に示すように、前記放熱フレーム20の電源モジュール固定溝21aにスライディング挿入される電源モジュールPCB41と、前記電源モジュールPCB41に固定され前記ソケット12を通じて印加されるAC電源を変換する電源モジュール42とからなる。
【００５９】
側面反射部材50は、図２および３に示すように、放熱フレーム20の側面反射部22に装着されLEDモジュール30から発光する光源を拡散および屈折させる。この側面反射部材50は、図３に示すように、側面反射部22の両端部に固定されLED素子32と相応する位置に少なくとも一以上の穿孔ホール51aが形成されたベースプレート51と、前記ベースプレート51にLED素子32と一直線上に位置するよう設けられる拡散レンズ52からなる。
【００６０】
前記ベースプレート51の穿孔ホール51aの周囲は前述のとおりLED発光面32aに蓄積される熱が吸収されるようLED発光面32aに支持されるようにするのが望ましい。
【００６１】
前記拡散レンズ52には、図３に示すように、LEDモジュール30から発生する光源が全反射（図９参照）されるようプリズム52aが形成される。全反射とは、光が光学的に屈折率の大きい物質から屈折率の小さい物質へ進行するとき、特定臨界角より大きい入射角で入射した光が屈折することなく100％反射する現象をいうもので、全反射が生じ得る入射角の最小値を臨界角という。例えば、光がガラスから空気へ出るときの臨界角は42°で、臨界角がこれより大きければ光はそのガラスを透過できずに全てガラスの内面へ100％反射して空気のほうへ出て行かれない。このような現象を全反射といい、全反射プリズム52aはこのような性質を利用したものである。
【００６２】
前記側面反射部材50の側面端部は、図３に示すように、側面反射部22の端部に支持され、その上端は図２に示すように、ハウジング11の下側に支持される。前記側面反射部材50の下端は、図１に示すように、後述のフレームカバー60に支持される。すなわち、この側面反射部材50はフレームカバー60の着脱によって分離可能であり、その結果照明度の低下したLEDモジュール30を容易に取替えられる。
【００６３】
前記側面反射部材50の表面は、反射および拡散の効率を向上せしめるためにクロームまたはニッケル鍍金するのが望ましい。
【００６４】
フレームカバー60は、図２に示すように、放熱フレーム20の下側に着脱自在に結合され、その結果前述のLEDモジュール30と電源モジュール部40を容易に取り替えられる。このフレームカバー60には、図2と図6に示すように、フレームカバーホール61が少なくとも一以上形成され、その中央にはドーム状の反射鏡62が設けられ、この反射鏡62には電源モジュール部40と連結される円形LEDランプ63が結合される。
【００６５】
光センサー70は、望ましくは図６に示すように、フレームカバー60の下側に設けられ周囲光量を認識して電源モジュール部40に設けられた制御部80に信号を伝達する。制御部80では、図７に示すように、光センサー70から伝達された信号によってLEDモジュール30の照明度を調節する。前述の制御方法は公知の技術を用いるので、具体的な説明は省略する。
【００６６】
図８は図１に示されたランプ型LED照明装置の使用状態図である。具体的に、図８は天井埋め込み式に使用されるランプ型LED照明装置の使用状態を示したものである。
【００６７】
LEDモジュール30から発生する光源は、図９に示すように、拡散レンズ52によって周囲に拡散され、一部の光源はプリズム52aによって全反射される。全反射されるか拡散された光源は、図8に示すように、天井などに埋め込まれる天井埋め込み型灯器具の反射面によって多重反射をなして外部へ放射され柔らかいダウンライト照明になる。
【００６８】
このとき、LEDモジュール30から発生する熱は、図10に示すように、フレームカバー60に形成されたフレームカバーホール61を通して引き込まれた外部空気によって冷却され通風部23に形成された通風ホール23aを通して外部へ迅速に放出される。さらに、ベースプレート51の穿孔ホール51aの周囲がLED素子32のLED発光面32aに支持されるので、LED発光面32a蓄積された熱が穿孔ホール51a周囲のベースプレート51に伝導されて冷却効果を奏する。
【００６９】
図11は図１に示されたランプ型LED照明装置に拡散カバーが結合された状態を示す斜視図で、図12は図１に示されたランプ型LED照明装置に拡散カバーが結合された状態の使用状態図である。
【００７０】
拡散カバー90は、図11および12に示されたように望ましくは放熱フレーム20に形成された突起に差込結合され本発明の好適な実施例にかかるランプ型LED照明装置1が天井灯器具に埋め込まれて使用されるのではなく、独自的な照明灯として本体が外部に露出して使用される場合に用いられる。
【００７１】
前記拡散カバー90の内側には図12に示されたように側面反射部材50と対向し全反射特性を有する鋸歯型拡散レンズ90aが設けられる。この鋸歯型拡散レンズ90aはLED光源が側面反射部材50と相互反射作用によって拡散光が半円状に反射されるようにする。前記鋸歯型拡散レンズ90aは効率的な屈折と拡散作用をなすために望ましくはプレネルランズ形態のレンズ加工方式を活用する。
【００７２】
図13は本発明の他の実施例にかかるランプ型LED照明装置を示す正面図で、図14は図13に示されたXII-XII線の断面図である。
【００７３】
本発明の他の実施例にかかるランプ型LED照明装置100は、ハウジングカバー110、電源モジュールハウジング120、放熱フレーム20、LEDモジュール30、電源モジュール部40、側面反射部材50、フレームカバー60、光センサー70、制御部80、拡散カバー90を含む。ここで、先に示された図面でと同一の参照符号は同一の機能を果たす同一部材を指す。
【００７４】
ハウジングカバー110は、図13に示すように、後述の電源モジュールハウジング120と着脱自在に結合され、望ましくは半球状で少なくとも一以上のハウジングホール111aを有するハウジング111と、前記ハウジング111の上側に固定され外部電源と連結されるソケット112からなる。
【００７５】
前記ハウジングホール111aはLEDモジュール30から発生する熱が空気によって冷却されるよう空気の移動通路となる。  前記ソケット112は図13に示すように、陽極接続端子112aと陰極接続端子112bからなり前述の電源モジュール部40に電源を供給する。
【００７６】
電源モジュールハウジング120は前記ハウジングカバー110の下側に着脱自在に結合され内側には電源モジュール部40が分離可能に設けられる。この電源モジュール部40は前述の放熱フレーム20に設けられる方法と同様に電源モジュールハウジング120に設けられる。
【００７７】
前記電源モジュールハウジング120には、LEDモジュール30と電源モジュール部40から発生する熱が空気循環によって迅速に冷却されるよう空気の流入通路となるモジュールハウジングホール120aが少なくとも一以上形成される。
【００７８】
本発明の好適な実施例にかかる他のライン型LED照明装置200は、図15ないし22に示すように、ベースフレーム210、LEDモジュール220、曲面反射板230、拡散板240、拡散窓250、サイドカバー260．電源モジュール部270、光センサー280、フレーム支持部290、制御部（図示せず）を含む。
【００７９】
ベースフレーム210は、図16および17に示すように、上側空間部211aと下側空間部211bとに区画され側壁が折り曲げ形成されたフレーム本体211と、前記フレーム本体211の側壁に形成される少なくとも一以上の通風ホール212と、前記フレーム本体211の上側に形成され後述の曲面反射板230と拡散板240が支持されるようにする支持突起213と、前記フレーム本体211の上面に形成され後述の拡散窓250が固定されるようにする拡散窓支持溝214からなる。
【００８０】
また、前記ベースフレーム210の下側空間部211bには、図17に示すように、一側に突出型接続端子215aが形成され他側に挿入型接続端子（図示せず）が形成された電源連結部215が設けられる。前記突出型接続端子215aは図15に示すように、後述の電源モジュール部270に連結されLEDモジュール220に電源を連結する役割をする。前記挿入型接続端子は本発明の一実施例にかかるライン型LED照明装置200を二以上連結（図22参照）して使用するときに利用される。
【００８１】
LEDモジュール220は、図17に示すように、前記フレーム本体211の上側空間部211aに設けられ、後述の電源モジュール部270に連結されてLED光源を発散する。このLEDモジュール220はフレーム本体211の上側空間部211aの底部に設けられるモジュールベース221と、このモジュールベース221の一側に固定されLED発光面222aを有する少なくとも一以上のLED素子222と、前記LED素子222のあいだに設けられる抵抗223と、前記モジュールベース221の一側に設けられ後述のサイドカバー260のLED電源接続端子261と共通端子262が挿入固定されるLED接続端子224とからなる。
【００８２】
LED素子222のLED発光面222aには、図19に示すように、後述の曲面反射板230の穿孔ホール231aの周囲が支持されるようにしてLED発光面222aに蓄積される熱が曲面反射板230に吸収されるようにするのが望ましい。
【００８３】
曲面反射板230は、図16および17に示すように、ベースフレーム210の上側空間部211aに設けられLEDモジュール220から発光される光源が拡散および屈折されるようにする。この曲面反射板230は、図17に示すように、ベースフレーム210の支持突起213に両端部が支持されLED素子222と相応する位置に少なくとも一以上の穿孔ホール231aが形成されたベースプレート231と、前記ベースプレート231にLED素子222と一直線上に位置するように設けられる拡散ランズ232とからなる。
【００８４】
前記ベースプレート231の穿孔ホール231aの周囲は、図19に示すように、LED発光面222aに蓄積される熱が吸収されるようにLED発光面222aに支持されるようにするのが望ましい。こうすれば、LED素子222の上端から発光される光源がLEDモジュール220の構成部品やベースフレーム210に吸収されて光減衰することのないようにできる。また、各LED発光面222aの周囲に支持された曲面反射板230の底面部を通じてLED素子222の上端部発熱が迅速に放出されるようにできる。
【００８５】
前記拡散レンズ232には、図17に示すように、LEDモジュール230から発生する光源が全反射されるようプリズム232aが形成される。全反射とは、光が光学的に屈折率の大きい物質から屈折率の小さい物質へ進行するとき、特定臨界角より大きい入射角で入射した光が屈折することなく100％反射する現象をいうもので、全反射が生じ得る入射角の最小値を臨界角という。例えば、光がガラスから空気へ出るときの臨界角は42°で、臨界角がこれより大きければ光はそのガラスを透過できずに全てガラスの内面へ100％反射して空気のほうへ出て行かれない。このような現象を全反射といい、全反射プリズム232aはこのような性質を利用したものである。
【００８６】
前記曲面反射板230の表面は、反射および拡散の効率を向上せしめるためにクロームまたはニッケル鍍金するのが望ましい。
【００８７】
拡散板240は、図17に示すように、ベースフレーム210の支持突起213に端部が支持され、この拡散板240には前記拡散レンズ232と対向する面に反射及び拡散効率を向上させるために鋸歯型拡散レンズ241と拡散プリズム242が形成される。
【００８８】
前記拡散板240と後述の拡散窓250のあいだには照明用途に応じて柔らかいカラー照明を演出できるようカラーシート（図示せず）を挿入するのが望ましい。
【００８９】
拡散窓250は、望ましくは図17に示すように、下側に形成された拡散窓支持突起250bによってベースフレーム210の拡散窓支持溝214に固定され、この拡散窓250の内側底部には多数の平ブロックレンズがずらっと並び配列されたレンチキュラーレンズ250aが設けられる。このレンチキュラーレンズ250aは拡散窓250の内部において屈折と反射がより多様になされ効率的な拡散作用がなされるようにする。この拡散窓250にはより柔らかい照明を得るために乳白色の拡散材を含めるのが望ましい。
【００９０】
前記拡散窓250は照明用途に応じて選択的に使用することができる。すなわち、照明装置の使用処に応じて拡散窓250を除去して拡散板240のみを使用することもできる。このような場合、拡散板240は固定性を向上させるために望ましくはベースフレーム210の支持突起213にねじや適切な支持部材で結合される。
【００９１】
サイドカバー260は望ましくは図16に示すように、ベースフレーム210の側面に着脱自在にねじまたは挟み込み結合される。このサイドカバー260の内側にはLED電源連結端子261と共通端子262が装着され、前記LED電源連結端子261と共通端子262がそれぞれ連結された端子ホール263が形成される。
【００９２】
前記サイドカバー260は後述の電源モジュール部270から流入する電源をLEDモジュール220に連結する役割をなす。具体的に、電源モジュール部270から流入する電源はベースフレーム210の突出型接続端子215aによってサイドカバー260の端子ホール263に連結される。この端子ホール263はLED電源連結端子261と共通端子262に連結されており、LED電源連結端子261と共通端子262はLEDモジュール220のLED接続端子224に挿入固定されるので電源モジュール部270から流入する電源がLEDモジュール220に供給される。
【００９３】
このように、本発明の好適な実施例にかかるライン型LED照明装置200は、サイドカバー260を通じた電源接続方式を通して別途の連結線なしに多数のLED照明装置を直列に接続することができて照明装置の構築を容易にかつ簡潔に行える。
【００９４】
また、本発明の好適な実施例にかかるライン型LED照明装置200は、照明度が低下すればベースフレーム210からサイドカバー260を分離してLEDモジュール220をたやすく取り替えられる。その結果、本発明の好適な実施例にかかるライン型LED照明装置200は半永久的に使用できて資源の浪費を低減し環境保護に寄与できる利点がある。
【００９５】
電源モジュール部270は、図15ないし17に示すように、サイドカバー260のLED電源連結端子261に固定される電源モジュールハウジング271と、この電源モジュールハウジング271の一側に設けられ外部電源が引き込まれるようにするAC引込口272と、印加されたAC電源を変換する電源モジュール（図示せず）からなる。
【００９６】
光センサー280は、図15に示すように、電源モジュール部270の一側に設けられ、周囲の光量を認識して電源モジュール部270に設けられた制御部（図示せず）に信号を伝達する。制御部には光センサー280から伝達された信号によってLEDモジュール220の照明度を調節する。前述の制御方法は公知の技術を使用するので具体的な説明は省略する。
【００９７】
フレーム支持部290は、図15と16に示すように、前記ベースフレーム210の下側に着脱自在に結合されるフレーム支持本体291と、前記フレーム支持本体291の側面に固定される少なくとも一以上の放熱ピン292と、前記フレーム支持本体291の側面にベースフレーム210のフレーム通風ホール212と連通するよう少なくとも一以上形成される通風ホール293からなる。
【００９８】
前記放熱ピン292はLED素子222によって発生しベースフレーム210に蓄積された熱が外部へ放出されるようにする。また、前記LED素子222から発生した熱が通風によってベースフレーム210の下側発熱空間である下側空間部211bを経て通風ホール212とフレーム支持部290の通風ホール293を通して外部へたやすく放出されるようにする。その結果、従来のLED照明装置よりもLED素子222の熱放出を迅速に行える。
【００９９】
また、フレーム支持部290がベースフレーム210を支持するので、ベースフレーム210をよりシンプルかつ経済的に製造することができ、照明装置の設置や連結構成のときにフレーム支持部290を据置台として有用に活用できる。
【０１００】
図20は図15に示されたライン型LED照明装置の拡散および屈折作用を示す正断面図である。
【０１０１】
LEDモジュール220から発生する光源は、図20に示すように、拡散レンズ232によって周囲に拡散され、一部の光源がプリズム232aによって全反射される。全反射または拡散された光源は曲面反射板230のベースプレート231によって半円状の反射をなす。このような半円状の光源は拡散窓250のレンチキュラーレンズ250aによって屈折と反射が一層多様になされ外部へ放出される。
【０１０２】
このとき、LEDモジュール220から発生する熱はベースフレーム210の下側発熱空間である下側空間部211bを経てフレーム通風ホール212とフレーム支持部290の通風ホールを通じて外部へ迅速に放出される。さらに、ベースプレート231の穿孔ホール２３１aの周囲がLED素子222のLED発光面222aに支持されるので、LED発光面222aに蓄積された熱が穿孔ホール231a周囲のベースプレート231に伝導されて冷却効果を奏する。
【０１０３】
図21および22は、図15に示されたライン型LED照明装置の使用状態図である。図21は本発明の一実施例にかかるライン型LED照明装置200の４ケを一つの電源モジュール部270に装着した高輝度の照明装置を示したものである。前述のとおり本発明の一実施例にかかるライン型LED照明装置200は照明目的に応じて一つの電源モジュール部270に一以上のライン型LED照明装置200を接続して所望の光量を得ることができる。また、本発明の一実施例にかかるライン型LED照明装置200は照明度が低下したらたやすく電源モジュール部270から分離してLEDモジュール220を取り替えられるので、半永久的にライン型LED照明装置200を使用することができる。
【０１０４】
図22は一つの電源モジュール部270に５ケのライン型LED照明装置200が直列に連結されたものを示したもので、図面空間の便宜上ライン型LED照明装置200の一部連結区間を別途の電源連結具295に表示したものである。本発明の好適な実施例にかかるライン型LED照明装置200を直線方向にながく拡張する場合には、突出型接続端子215aが隣接の他のライン型LED照明装置200の挿入端子（図示せず）に接続されて連結されるので、別途の拡張用電源連結具295を必要としない。
【０１０５】
本発明の一実施例にかかるライン型LED照明装置200は、図21と22に示された照明装置の使用方法を変形して多用な形態に使用することができる。
【０１０６】
本発明にかかるパネル型LED照明装置300は、図23ないし29に示すように、LEDモジュール330を構成するLED素子332の高輝度および高出力発光時にLED素子332から発生する熱を迅速かつ効果的に放出することによって光出力および光効率を増大させるとともに使用寿命を大幅に延長することができるばかりでなく、LED素子332の高輝度発光による眩惑現象を効果的に解消してLED素子332の光を減衰なしに広く拡散させられるようにするためのもので、図23ないし27に示されたように、凹溝部311と突出部312が連続形成され、突出部312には光源装着溝313がそれぞれ形成される放熱板310と、放熱板310上に設けられる電源コントローラー320と、放熱板310の光源装着溝313に装着され電源コントローラー320に電気的に接続されて電源コントローラー320の制御によって点滅されるLEDモジュール330と、放熱板310の前面に結合され下向半円断面を有する曲面反射部341が光源装着溝313に対応するよう連続形成され、曲面反射部341の下端はLEDモジュール330に対応するようそれぞれ穿孔される反射板340と、反射板340の曲面反射部341の下端前面側にそれぞれ設けられLEDモジュール330の発光面をカバーする半円状拡散レンズ350と、反射板340の前面に結合され反射板340の前面をカバーする拡散板360を含めてなる。
【０１０７】
ここで、放熱板310は、本発明にかかるパネル型LED照明装置300の背面パネルを形成するとともに爾後に説明されるLEDモジュール330の高輝度および高出力発光時に発生する熱を外気との熱交換を通じて外部に放出するもので、熱交換面積の増大を通じて優れた放熱効果を奏せられるように凹溝部311と突出部312が連続形成されるように金属板材で形成される。
【０１０８】
放熱板310の突出部312にはそれぞれ光源装着溝313が形成されるが、この光源装着溝313は爾後に説明されるLEDモジュール330の装着空間を形成するとともに放熱板310の熱交換面積をさらに増大させる役割を果たす。
【０１０９】
前述の放熱板310の中央に位置する凹溝部311には電源コントローラー320が設けられるが、この電源コントローラー320は外部から引き込まれる電源をそれぞれのLEDモジュール330に供給してLEDモジュール330の点滅を制御すると同時に、引き込まれた電源を爾後に説明されるコネクター(370aおよび370b)へ伝達する役割をする。
【０１１０】
前述の放熱板310の光源装着溝313にはLEDモジュール330が装着されるが、このLEDモジュール330は本発明にかかるパネル型LED照明装置300において光源に前記当するもので、電源コントローラー320に電気的に接続されて電源コントローラー320の制御によって点滅する。
【０１１１】
LEDモジュール330は、図26に示されたように、バー形状のプリント回路基板331上に多数のLED素子332が離隔配列され、その一側には電源コントローラー320への電気的接続のための接続端子333が設けられる。プリント回路基板331上には抵抗をはじめとする多様な発光回路素子が設けられ、LED素子332は高輝度発光が可能なLEDパッケージに形成されるのが望ましく、接続端子333は別途の電源接続コネクター（図示せず）によって電源コントローラー320に電気的に接続されて電源の供給を受ける。
【０１１２】
特に、一般的に高輝度の照明光源を得るために多数のLEDがパッケージに製造されるLED素子332は、構造的に基板、電極，放熱器などのような不透明性要素による光損失を最小化した光学的デザインの一環として小さい反射鏡とエポキシレンズを使用して前面に光を集めて発散する構造からなる。このLED素子332の光源は反射鏡とエポキシレンズの構造によって多様な形態の方向性を有することになる。
【０１１３】
前述のLEDモジュール330は本発明にかかるパネル型LED照明装置300に使用されるLEDモジュール330の一実施例に過ぎず、LED照明装置の用途や照明度に応じて特殊製作されたパワーLEDモジュールやAC用LEDモジュールをバー形態に構成して使用することもできる。
【０１１４】
LEDモジュール330は放熱板310の光源装着溝313内に取替え可能に装着されるのが望ましいが、これは電源接続コネクター（図示せず）に対する接続端子333の着脱によって可能になり、これによって照明度が低下したLEDモジュール330だけを取り替え、その他のLED照明装置300は半永久的に使用できることになる。
【０１１５】
前述の放熱板310の前面には反射板340が結合されるが、この反射板340はLEDモジュール330のLED素子332から発光された光を全部前面側へ反射されるようにする役割をするもので、下向半円断面を有する曲面反射部341の下端が光源装着溝313に密着するよう金属板材で成形する。
【０１１６】
また、曲面反射部341の下端はLEDモジュール330上に配列されたLED素子332の光源が反射板340上に投射されるよう各LED素子332の発光面位置にそれぞれ対応する穿孔ホール342が形成されるが、これによりLED素子332の発光面から発光される光は、LEDモジュール330の回路部品やプリント回路基板（pcb.31）およびフレームの一部に吸収されて減衰することのないようになる。
【０１１７】
反射板340はその下端の穿孔ホール342がLED素子332の発光面周囲に接触して支持されるようその周縁内側が放熱板310の外側に差し込み結合されるが、これによりLED素子332の上部側へ発熱する熱はLED素子332の発光面に支持された穿孔ホール342によって曲面反射部341の底面部を通じて迅速に放出され、その結果LED素子332の光出力と寿命が増大することになる。
【０１１８】
反射板340はまた光反射効率が極大化できるようにその曲面反射部341が連続形成されるよう金属板材を成形したうえでその表面をクローム鍍金処理するかまたはニッケル鍍金処理して製造するのが望ましい。
【０１１９】
前述の反射板340の曲面反射部341の下端前面側にはLEDモジュール330の発光面をカバーするように半円型拡散レンズ350がそれぞれ設けられるが、この半円型拡散レンズ350は反射板340の穿孔ホール342を通過したLED素子332の光が半円状に広く拡散できるようにする役割を果たす。
【０１２０】
半円型拡散レンズ350の内側面にはプリズム形状の逆三角形レンズ面351が形成されるが、この逆三角形レンズ面351はその自体角度によってLED素子332の光が減衰なしに反射板340の曲面反射部341へ全反射されるようにする役割をするが、特に中央部からLED素子332の光の一部が直進せずに側面の反射板340の曲面反射部341へ全反射させた後再び曲面反射部341によって前面側へ反射されるようにするのが光の広い拡散のためにより有利である。
【０１２１】
光学において全反射とは、光が光学的に屈折率の大きい物質から屈折率の小さい物質へ進行するとき、特定臨界角より大きい入射角で入射した光が屈折することなく100％反射する現象をいうもので、全反射が生じ得る入射角の最小値を臨界角という。例えば、光がガラスから空気へ出るときの臨界角は42°で、臨界角がこれより大きければ光はそのガラスを透過できずに全てガラスの内面へ100％反射して空気のほうへ出て行かれない。このような現象を全反射といい、本発明の逆三角形レンズ面351は一種の全反射プリズムを構成して光の進行方向を変える作用をなす。
【０１２２】
前述の反射板340の前面には拡散板360が結合されるが、この拡散板360は反射板340の前面をカバーすることにより本発明にかかるパネル型LED照明装置300の前面パネルを形成する。
【０１２３】
LEDモジュール330に対応する拡散板360の下部面には多数のプリズムが連続形成された鋸歯型拡散レンズ361がそれぞれ形成されるが、この鋸歯型拡散レンズ361は曲面反射部341によって反射された拡散光が鋸歯型拡散レンズ361と曲面反射部341の相互反射作用によってより多くの光拡散がなされて高輝度の光が減衰なしに眩しさが解消されるようになる。また、拡散板360の両側面には曲面反射部341による側面空間をカバーする側面カバー部362が一体に形成される。
【０１２４】
図28には本発明にかかるパネル型LED照明装置においてLED光源の光拡散作用を説明する図面を示す。
【０１２５】
本発明にかかるパネル型LED照明装置300は、半導体点光源のLED素子332の高輝度光の眩しさを解消すべく、図28に示されたように、反射板340、半円型拡散レンズ350および拡散板360の立体的組み合わせを通してLED素子332から発散された高輝度光が光量の減衰することなく多段階の拡散作用を通じて眩しさなしに拡散されるように構成したものである。
【０１２６】
このために、光源であるLED素子332の上端に設けられる反射板340にクロームまたはニッケルで鍍金され反射度が極大化された曲面反射部341を形成し、その中央上部に逆三角形レンズ面351を有する半円型拡散レンズ350を装着し、LED素子332から発散された光が逆三角形レンズ面351を有する半円型拡散レンズ350を通じて屈折し拡散されて曲面反射部341に投射されて前面側へ反射された後、その上端の拡散板360の鋸歯型拡散レンズ361によって反射光の一部が再反射されて光拡散がより効果的になされることによって眩しさが解消した柔らかい照明光となる。
【０１２７】
前述の放熱板310の各側面には電源コントローラー320に電気的に接続され電源接続および本発明にかかるパネル型LED照明装置300の相互連結を通じた大型面照明装置400への拡張を可能にするコネクター（370aないし370d）が設けられるのが望ましいが、図29に本発明にかかるパネル型LED照明装置300の４ケをコネクター（370aないし370d）を利用して横方向および縦方向に連結して具現された大型面照明装置の概略構造図を示す。
【０１２８】
図29に示されたように、本発明にかかるパネル型LED照明装置300が正四角形に形成されコネクター（370aないし370d）が各側面の中央にそれぞれ一つずつ備えられることにより中央の電源コントローラー320とコネクターら（370aないし370d）の間には格子型電源回の間には格子型電源回路が具現され得るが、この場合に4面のコネクターら370aないし370d）は格子型接続端子371によって同一電極どうし接続される。
【０１２９】
また、コネクターら（370aないし370d）を利用して本発明にかかるパネル型LED照明装置300を 横方向および縦方向に相互連結して大型面照明装置400に拡張する場合には電源回路らによって全体的に網状電源回路が具現されるが、網状構造の直並列電源回路の特性上相互連結された各LED照明装置ら300のあいだに電位差が生じないので、多数のパネル型LED照明装置300を拡張して大型面照明装置400を構築する場合にも全体的に照明度の差異がなく均一な照明が可能になる長所がある。
【０１３０】
本発明にかかるパネル型LED照明装置300はそれ自体で既存の天井照明灯を取り替えて天井照明用として使用することができ、横方向および縦方向に容易に拡張して大型面照明装置400としても使用できる。
【０１３１】
この場合コネクター（370aないし370d）を通じて照明装置を設置する際、外部電源の接続が容易であるばかりでなく、天井や壁面に大型の面照明装置400を構築する場合にもコネクター（370aないし370d）らの相互連結を通じて別途の連結線を必要とすることなく横方向および縦方向へ拡張が容易になる。
【産業上の利用可能性】
【０１３２】
上述したような本発明の一実施例によれば、放熱フレームと側面反射部材によってLED素子の上端および下端部の発熱を迅速に放出するとともに、LED光源の眩惑現象を解消し光量の減衰することなく光源を広く拡散させられるもので、白熱電球および蛍光ランプを代替できるランプ型LED照明装置を提供することができる。
【０１３３】
本発明の他の一実施例によれば、ライン型構造のベースフレームと曲面反射板によってLED素子の上端および下端部の発熱を迅速に放出させるとともに、LED光源の眩惑現象を解消して光量の減衰することなく光源を広く拡散できるもので、ライン型蛍光灯を代替できるライン型LED照明装置を提供することができる。
【０１３４】
本発明のまたの一実施例によれば、放熱が円滑なパネル型構造の放熱板と曲面反射板および立体的光拡散板を通じてLED素子の発熱が迅速に放出され、光量の減衰することなく光源が均一に拡散されて光出力減少が予防でき使用寿命が延長されるもので、パネル形態の照明灯を代替でき、大面積の面照明装置を効率的に構築できるパネル型LED照明装置を提供することができる。
【図１】
2012501516.tif 000003
【図２】
2012501516.tif 000004
【図３】
2012501516.tif 000005
【図４】
2012501516.tif 000006
【図５】
2012501516.tif 000007
【図６】
2012501516.tif 000008
【図７】
2012501516.tif 000009
【図８】
2012501516.tif 000010
【図９】
2012501516.tif 000011
【図１０】
2012501516.tif 000012
【図１１】
2012501516.tif 000013
【図１２】
2012501516.tif 000014
【図１３】
2012501516.tif 000015
【図１４】
2012501516.tif 000016
【図１５】
2012501516.tif 000017
【図１６】
2012501516.tif 000018
【図１７】
2012501516.tif 000019
【図１８】
2012501516.tif 000020
【図１９】
2012501516.tif 000021
【図２０】
2012501516.tif 000022
【図２１】
2012501516.tif 000023
【図２２】
2012501516.tif 000024
【図２３】
2012501516.tif 000025
【図２４】
2012501516.tif 000026
【図２５】
2012501516.tif 000027
【図２６】
2012501516.tif 000028
【図２７】
2012501516.tif 000029
【図２８】
2012501516.tif 000030
【図２９】
2012501516.tif 000031
【国際調査報告】
2012501516.tif 000032
2012501516.tif 000033
2012501516.tif 000034
2012501516.tif 000035
2012501516.tif 000036
2012501516.tif 000037